(57)【要約】【課題】  従来のカードキーは、樹脂製基板が露出した状態で用いられるため、不特定多数の顧客によって繰り返し使用されるうちに破損する場合や、衝撃などにより破損しやすいという問題があった。【解決手段】  樹脂製カード基板と、前記樹脂製カード基板に内蔵されたチップ部及びアンテナ部と、前記樹脂製カード基板の外表面に貼り付けられてなる天然木シートまたは本革シートとを備える非接触型カードキーを提供する。【選択図】  図２
2018127847.tif 000002
【特許請求の範囲】
【請求項１】
樹脂製カード基板と、
前記樹脂製カード基板に内蔵されたチップ部及びアンテナ部と、
前記樹脂製カード基板の外表面に貼り付けられてなる天然木シートと、を備える
ことを特徴とする非接触型カードキー。
【請求項２】
樹脂製カード基板と、
前記樹脂製カード基板に内蔵されたチップ部及びアンテナ部と、
前記樹脂製カード基板の外表面に貼り付けられてなる本革シートと、を備える
ことを特徴とする非接触型カードキー。
【発明の詳細な説明】
【技術分野】
【０００１】
本発明は、非接触型カードキーに関し、特に、表面に天然木シートもしくは本皮シートが貼り付けられてなる非接触型カードキーに関する。
【背景技術】
【０００２】
従来、ホテルの部屋の入室時等においてドアのロックを解除するために用いられるカードキーは、信号の送受信装置が埋め込まれた樹脂製基板によって形成されてなる。
【先行技術文献】
【特許文献】
【０００３】
【特許文献１】特開２０１２−３６７１５号公報
【発明の概要】
【発明が解決しようとする課題】
【０００４】
しかし、従来のカードキーは、樹脂製基板が露出した状態で用いられるため、不特定多数の顧客によって繰り返し使用されるうちに破損する場合や、衝撃などにより破損しやすいという問題があった。
【０００５】
また、カードキーの表面には印刷等が施される場合があるが、同一デザインの印刷が用いられることが多く、カードごとの見分けがつかない無機質な印象のものが多かった。
【課題を解決するための手段】
【０００６】
そこで、上記課題を解決する手段として本発明に係る非接触型カードキーは、樹脂製カード基板と、前記樹脂製カード基板に内蔵されたチップ部及びアンテナ部と、前記樹脂製カード基板の外表面に貼り付けられてなる天然木シートと、を備えることを特徴とする。
【０００７】
天然木シートに使用する天然木としては特に限定されないが、ひのきを用いることが特に好ましい。樹脂製カード基板の外表面に貼り付けて使用した際に天然木特有の香りの効果について高い効果を得ることができるためである。
【０００８】
また、前記非接触型カードキーは、樹脂製カード基板と、前記樹脂製カード基板に内蔵されたチップ部及びアンテナ部と、前記樹脂製カード基板の外表面に貼り付けられてなる本革シートと、を備えることを特徴とするものであっても好ましい。
【０００９】
樹脂製カード基板は、剛性を備えた手の平に収まるサイズのカードであり、ＩＳＯ／ＩＥＣ  ７８１０：２００３  ＩＤ−１，又はＪＩＳ  Ｘ  ６３０１：２００５  ＩＤ−１規格に準じた大きさを有するものであることが好ましい。非接触型カードキーの保管時において、既存のカードケースなどを利用することが容易であるからである。なお、同様の理由からカード基板はいわゆるサイバネ規格に準じた大きさに形成されたものであっても好ましい。
【００１０】
天然木シート及び本革シートの一枚当たりの厚さは０．２〜０．５ｍｍであることが好ましい。天然木シート及び本革シートの一枚当たりの厚さをこのような厚さとすることにより、非接触型カードキー全体の厚さの増大を抑えて保管時に既存のカードケースの利用を可能としつつ、天然木シート及び本革シートの質感や手触りを楽しむことができる。
【００１１】
樹脂製カード基板には、ＰＶＣ（ポリ塩化ビニル）またはＰＥＴ（ポリエチレンテレフタレート）を用いることが好ましい。
【発明の効果】
【００１２】
本発明によれば、樹脂製カード基板の外表面に貼り付けられてなる天然木シートもしくは本革シートによって非接触型カードキー全体の曲げ強度の向上を図ることができ、樹脂製カード基板内に内蔵されるＩＣチップおよびアンテナの保護効果を高めることができる。さらに、樹脂製カード基板の破損を防止し、また、破損した場合であっても樹脂製カード基板の破片が露出して使用者が怪我をすることを防止することができる。
【００１３】
また、天然木シートもしくは本革シートによる非接触型カードキーの強度の向上効果に伴い、持ち運ぶ際に別途保護用のカードケースを用意する必要がなくなる。
【００１４】
また、天然木シートや本革シートを樹脂製カード基板の外表面に貼り付けることによって、非接触型カードキーの外観に天然木の質感もしくは革の質感から得られる高級感を付与することができるとともに、カードに手で触れた際の優れた触感を付与することができる。
【００１５】
さらに、天然木シートや本革シートを樹脂製カード基板の外表面に貼り付けることによって、非接触型カードキーに天然木もしくは革の香りを付与することができる。
【００１６】
さらにまた、天然木シートや本革シートを樹脂製カード基板の外表面に貼り付けることによって、使用期間の経過により天然木シートや本革シートの表面状態に味わいが付加することにより経年変化を楽しむことができると共に、わずかな表面劣化も味わいに含めて楽しむことができることにより、非接触型カードキーの使用可能期間を延ばす効果を有する。
【００１７】
樹脂製カード基板の外表面に貼り付けられた天然木シートや本革シートの表面には、固有の模様が付されてなるため、使用者に特別なカードであるとの印象を与えることができる。
【図面の簡単な説明】
【００１８】
【図１】非接触型カードキー１，１００の側面図である。
【図２】非接触型カードキー１の分解斜視図である。なお、樹脂製カード基板２の一部を破断して二点鎖線で表し、破断部分に内部に埋め込まれてなるチップ部３及びアンテナ部４を実線で示している。
【図３】非接触型カードキー１００の分解斜視図である。なお、樹脂製カード基板２の一部を破断して二点鎖線で表し、破断部分に内部に埋め込まれてなるチップ部３及びアンテナ部４を実線で示している。
【発明を実施するための形態】
【００１９】
以下、本発明に係る実施の形態を、図を参照しながら詳しく説明する。なお、本明細書及び図面において、実質的に同一の機能構成を有する構成要素については、同一の符号を付することにより重複説明を省略する。
【００２０】
図１には、本実施の形態に係る非接触型カードキー１の側面図を示す。本実施の形態において、非接触型カードキー１は、ホテルの客室用ドアの電気錠を解錠するために使用されるものである。
【００２１】
非接触型カードキー１は、図２の分解斜視図に示すように、樹脂製カード基板２の内部に埋め込まれてなるチップ部３及びアンテナ部４を備える。樹脂製カード基板２は、ＰＶＣによって成形されてなる。樹脂製カード基板２の上側表面及び下側表面には天然木シート５１、５２が貼り付けられてなり、非接触型カードキー１の外観は天然木に固有の木目模様５３を備えた自然素材からなるカードとして美感を感じることができる。また、非接触型カードキー１を手に取ると、天然木特有の優れた触感を感じることができる。
【００２２】
ホテルの顧客は、訪れたホテルのフロントで最初に手渡される自分専用の非接触型カードキー１が見た目に優しい木目調で、手で触った際に天然木の質感で優しい触感を感じることができる高級感のあるカードであることで満足感を得ることができることができる。
【００２３】
また図１には、他の実施の形態に係る非接触型カードキー１００の側面図を示す。本実施の形態において、非接触型カードキー１００は、ホテルの客室用ドアの電気錠を解錠するために使用されるものである。
【００２４】
非接触型カードキー１００は、図２の分解斜視図に示すように、樹脂製カード基板２の内部に埋め込まれてなるチップ部３及びアンテナ部４を備える。樹脂製カード基板２は、ＰＶＣによって成形されてなる。樹脂製カード基板２の上側表面及び下側表面には本革シート５０１、５０２が貼り付けられてなり、非接触型カードキー１００の外観は本革に固有の模様５０３を備えた自然素材からなるカードとして美感を感じることができる。また、非接触型カードキー１００を手に取ると、本革特有の優れた触感を感じることができる。
【００２５】
ホテルの顧客は、訪れたホテルのフロントで最初に手渡される自分専用の非接触型カードキー１００が見た目にしっかりとした本革で、手で触った際に本革の柔らかな触感を感じることができる高級感のあるカードであることで満足感を得ることができることができる。
【００２６】
樹脂製カード基板２の外表面に貼り付けられてなる天然木シート５１，５２もしくは本革シート５０１、５０２によって樹脂製カード基板２を補強する効果を付加することができる。これにより、樹脂製カード基板２の破損を防止し、また、破損した場合であっても樹脂製カード基板２の破片が露出して使用者が怪我をすることを防止することができる。
【００２７】
樹脂製カード基板２に内蔵されたチップ部３は、互いに信号の授受可能に電気的な接続がされてなるＣＰＵ、ＲＯＭ、ＲＡＭ、及び書換え可能不揮発性メモリによって構成されてなる。不揮発性メモリには、入室予定の部屋に設けられた電気錠の認証情報が記録されており、非接触型カードキー１、１００が電気錠のインターフェースにかざされることでアンテナ部４によって不揮発性メモリ内の認証情報の授受が行われ、認証が完了すると電気錠が解錠される。
【符号の説明】
【００２８】
１、１００  非接触型カードキー
２  樹脂製カード基板
３  チップ部
４  アンテナ部
５１、５２  天然木シート
５０１、５０２  本革シート
【図１】
2018127847.tif 000003
【図２】
2018127847.tif 000004
【図３】
2018127847.tif 000005